(57)【要約】【課題】省電力モード中の着呼を受けて開始したファクシミリ通信により取得されたデータを適切に画像形成装置本体に転送することができる画像形成装置を提供することを目的とする。【解決手段】通信インタフェース７は、ロジック回路部Ｌ及び本体部３００への駆動電力の供給を行わずに、通信インタフェース７及び網制御装置９０への駆動電力の供給を行う省電力モードを実行しているときに、イベントが発生すると、省電力モードの実行を中止して、ロジック回路部Ｌ、本体部３００、通信インタフェース７、及び、網制御装置９０への駆動電力の供給を行う通常電力モードの実行を開始する省電力制御部７５を備える。ロジック回路部Ｌは、ファクシミリ通信を開始してデータを取得してデータ蓄積部９６に蓄積し、本体部３００に転送するファクシミリ通信制御部９１を備える。【選択図】図４
2014123825.tif 000002
【特許請求の範囲】
【請求項１】
通信ネットワークを用いた通信を行うための通信インタフェースと、
ファクシミリ通信機能を備える他の通信機器との間の通信路を形成するための網制御装置と、当該網制御装置により形成された通信路を通じたファクシミリ通信を行うためのロジック回路部と、前記ファクシミリ通信により取得されたデータを蓄積するデータ蓄積部と、を備えるファクシミリ通信部と、
前記通信インタフェースにより取得されたデータ、及び、前記ファクシミリ通信部により取得されたデータのいずれかの転送を受け付けて、予め設定された処理を施す本体部と、
を備えており、
前記通信インタフェースは、
前記ファクシミリ通信部の前記ロジック回路部、及び、前記本体部への駆動電力の供給を行わずに、前記通信インタフェース、及び、前記ファクシミリ通信部の前記網制御装置への駆動電力の供給を行う省電力モードを実行しているときに、当該省電力モードの実行を中止して、前記ファクシミリ通信部の前記ロジック回路部、前記本体部、前記通信インタフェース、及び、前記ファクシミリ通信部の前記網制御装置への駆動電力の供給を行う通常電力モードの実行を開始すべきイベントが発生したときには、前記省電力モードの実行を中止して前記通常電力モードの実行を開始する省電力制御部を備えており、
前記ロジック回路部は、前記ファクシミリ通信を開始して当該ファクシミリ通信によりデータを取得して前記データ蓄積部に蓄積し、当該データ蓄積部に蓄積されたデータを、前記本体部に転送するファクシミリ通信制御部を備える
ことを特徴とする画像形成装置。
【請求項２】
前記データ蓄積部は不揮発性メモリで構成されている
ことを特徴とする請求項１記載の画像形成装置。
【請求項３】
前記ファクシミリ通信が開始されてから、予め設定された時間の間に、前記データ蓄積部に蓄積されたデータの前記本体部への転送が完了していないことを通知するための通知部をさらに備えており、
前記ファクシミリ通信部は、前記本体部に着脱可能に構成されており、
前記ファクシミリ通信制御部は、前記ファクシミリ通信が開始されてから、前記予め設定された時間が経過したときに、前記データ蓄積部に蓄積されたデータの前記本体部への転送が完了したか否かを判断し、前記転送が完了していないときには、前記通知部を駆動させる
ことを特徴とする請求項１又は請求項２に記載の画像形成装置。
【請求項４】
前記通知部は固体発光素子で構成されている
ことを特徴とする請求項３に記載の画像形成装置。
【請求項５】
通電しているときに、前記通信インタフェース及び前記網制御装置に駆動電力を供給する第１電力供給部と、
通電しているときに、前記本体部及び前記ロジック回路部に駆動電力を供給する第２電力供給部と、
をさらに備えており、
前記省電力制御部は、
前記省電力モードの実行中には、前記第２電力供給部を通電させずに前記第１電力供給部のみを通電させ、前記通常電力モードの実行中には、前記第１電力供給部及び前記第２電力供給部を通電させる
ことを特徴とする請求項１乃至請求項４のいずれか一項に記載の画像形成装置。
【発明の詳細な説明】
【技術分野】
【０００１】
本発明は、画像形成装置に関するものである。
【背景技術】
【０００２】
画像形成装置における省電力化の技術として、当該画像形成装置の各部に対して電力を供給する通常電力モードの他に、各部のうち一部に対してのみ電力を供給する省電力モードを設け、画像形成装置に対する操作が所定時間何もなされなかった場合や、省電力モードに切り替える指示が画像形成装置に入力された場合に、画像形成装置のモードを通常電力モードから省電力モードに切り替える技術が広く採用されている。
【０００３】
ところで、通信機能を有する画像形成装置にあっては、省電力モード中でも、通常、ネットワーク上で伝送されるデータが自機宛のものであるか否かを判断して自機宛のものである場合に該データを受信したり、或いは、自機のステータス情報をネットワークを介して他の機器に送出したりするなど、他の通信機器との間で通信できる状態にしておくために、データのネットワークを通じた通信に係る部分には電力を供給しておく必要がある。ここで、画像形成装置の消費電力を、データ通信に係る機能を停止させずに小さくすることができれば、通信機能を有する画像形成装置の省電力化をより一層図ることができる。
【０００４】
この省電力化に関する技術文献として下記特許文献１がある。下記特許文献１には、ネットワーク経由で受信したパケットのプロトコルが予め定められた復帰条件に対応するプロトコルタイプのパケットであるか否かを判断し、そうであるときに省電力モードから通常動作モードに復帰する技術が開示されている。
【先行技術文献】
【特許文献】
【０００５】
【特許文献１】特開２００６−３０９７３１号公報
【発明の概要】
【発明が解決しようとする課題】
【０００６】
ところで、通信機能を有する画像形成装置は、通信機能を司る通信用基板と、画像形成装置全体を統括的に制御するためのメイン基板とが分離して構成されており、省電力モードでは電源回路により通信用基板のみに駆動電力が供給され、通常電力モードでは電源回路により通信用基板及びメイン基板の双方に駆動電力が供給される。
【０００７】
そして、この画像形成装置は、省電力モードか通常電力モードかに応じて、駆動電力が供給される基板を異ならせるために、駆動電力を各基板に供給する電源回路の動作を制御する電源制御部を有するが、その電源制御部の機能を、メイン基板に設ける場合がある。
【０００８】
この場合、電源制御部がいつでも省電力モードの電力供給状態から通常のモードの電力供給状態に切り替えることができるようにするためには、省電力モードの期間中、メイン基板に電力を供給し続ける必要がある。
【０００９】
しかしながら、メイン基板は、消費電力が比較的大きなものであるため、ここに省電力化の余地があった。特許文献１には、この点に関する記載は無い。そのため、省電力モード中でも通信できる状態を維持しながら、更なる消費電力の低減を図ることができる画像形成装置の開発が望まれる。
【００１０】
省電力モード中でも通信できる状態を維持しながら、更なる消費電力の低減を図ることができる画像形成装置としては、例えば、電源回路の動作を制御する電源制御部の機能を、メイン基板よりも消費電力が小さな、通信を司る通信インタフェースに持たせ、省電力モード中には、通信インタフェースのみに電力を供給する画像形成装置が挙げられる。
【００１１】
ところで、画像形成装置では、網制御装置を備え、ファクシミリ通信を行う機能を備えたファクシミリモジュールをオプション機器として設けることができる場合がある。このようなファクシミリモジュールは、ファクシミリ通信により他の通信装置から送られてくる画像データを取得しながら画像形成装置本体の画像メモリに転送するよう構成されている。
【００１２】
このようなファクシミリモジュールを、上記した画像形成装置、つまり、電源回路の動作を制御する電源制御部の機能を、通信を司る通信インタフェースに持たせ、省電力モード中には、通信インタフェースのみに電力を供給する画像形成装置に設けた場合には、消費電力の低減を図るため、当該画像形成装置が、以下の処理を行うことが好ましい。
【００１３】
例えば、画像形成装置は、通信ネットワークを用いた通信を行う機能と公衆回線網を通じた着呼を検出する機能とを残した省電力モードを実行し、通信ネットワークを通じたデータ受信、或いは、公衆回線網を通じた着呼を検出したときに、実行中のモードを省電力モードから通常電力モードに切り換える処理を行う。
【００１４】
ところで、画像形成装置本体は、起動に要する時間が、ファクシミリモジュールよりも長くなることがある。このように、画像形成装置本体の起動に要する時間がファクシミリモジュールの起動に要する時間より長くなると、ファクシミリモジュールが起動した時点では、画像形成装置本体は未だ起動してしない。
【００１５】
また、公衆回線網を通じた着呼を受けてから実際にファクシミリ通信を開始すべき時間には制約があるため、画像形成装置本体に先駆けてファクシミリモジュールが起動してファクシミリ通信を開始しなければならない事情がある。
【００１６】
これにより、ファクシミリモジュールは、画像形成装置本体が起動していない状態でファクシミリ受信を開始することになる。
【００１７】
ところが、この場合、画像形成装置本体が起動していないため、ファクシミリモジュールは、ファクシミリ受信したデータを画像形成装置本体に転送することができない。この場合、画像形成装置本体は、ファクシミリ通信により取得したデータに、予め設定された処理（例えば記録紙上への転写）を施すことができない。
【００１８】
本発明は、上記問題を解決するために提案されるものであり、ファクシミリ通信部をオプションで取付可能な画像形成装置において、省電力モード中でも、通信ネットワークを通じた通信機能と、公衆回線網を通じた着呼を検出する機能とを残しながら消費電力の低減を図ることができ、省電力モード中の着呼を受けて開始したファクシミリ通信により取得されたデータを適切に画像形成装置本体に転送することができる画像形成装置を提供することを目的とする。
【課題を解決するための手段】
【００１９】
本発明の一局面に係る画像形成装置は、通信ネットワークを用いた通信を行うための通信インタフェースと、ファクシミリ通信機能を備える他の通信機器との間の通信路を形成するための網制御装置と、当該網制御装置により形成された通信路を通じたファクシミリ通信を行うためのロジック回路部と、前記ファクシミリ通信により取得されたデータを蓄積するデータ蓄積部と、を備えるファクシミリ通信部と、前記通信インタフェースにより取得されたデータ、及び、前記ファクシミリ通信部により取得されたデータのいずれかの転送を受け付けて、予め設定された処理を施す本体部と、を備えており、前記通信インタフェースは、前記ファクシミリ通信部の前記ロジック回路部、及び、前記本体部への駆動電力の供給を行わずに、前記通信インタフェース、及び、前記ファクシミリ通信部の前記網制御装置への駆動電力の供給を行う省電力モードを実行しているときに、当該省電力モードの実行を中止して、前記ファクシミリ通信部の前記ロジック回路部、前記本体部、前記通信インタフェース、及び、前記ファクシミリ通信部の前記網制御装置への駆動電力の供給を行う通常電力モードの実行を開始すべきイベントが発生したときには、前記省電力モードの実行を中止して前記通常電力モードの実行を開始する省電力制御部を備えており、前記ロジック回路部は、前記ファクシミリ通信を開始して当該ファクシミリ通信によりデータを取得して前記データ蓄積部に蓄積し、当該データ蓄積部に蓄積されたデータを、前記本体部に転送するファクシミリ通信制御部を備えることを特徴とする（請求項１）。
【００２０】
この構成によれば、省電力制御部は、通信ネットワークを用いた通信を行うための通信インタフェースに設けられており、省電力モード中には、省電力制御部を含めた通信インタフェースの全体と、ファクシミリ通信部の網制御装置のみに駆動電力が供給され、本体部と、ファクシミリ通信部のロジック回路部への駆動電力の供給が遮断されている。
【００２１】
これにより、省電力モード中でも、通信ネットワークを通じた通信機能と、公衆回線網を通じて着呼を検出する機能のみを残しながら、消費電力の低減を適切に図ることができる。
【００２２】
また、この構成によれば、ファクシミリ通信部のロジック回路部は、ファクシミリ通信を開始して当該ファクシミリ通信によりデータを取得してデータ蓄積部に蓄積し、当該データ蓄積部に蓄積されたデータを本体部に転送する。
【００２３】
これにより、ファクシミリ通信部は、ファクシミリ受信により取得されたデータを、一旦蓄積してから本体部に転送する。
【００２４】
そのため、省電力モードから通常電力モードに切り替わって、ファクシミリ通信部が本体部に先駆けて起動してファクシミリ通信を開始した場合でも、ファクシミリ通信により取得されたデータが適切に本体部へ転送される。
【００２５】
以上により、この構成によれば、省電力モード中でも、通信ネットワークを通じた通信機能と、公衆回線網を通じた着呼を検出する機能とを残しながら消費電力の低減を図ることができ、省電力モード中の着呼を受けて開始したファクシミリ通信により取得されたデータを適切に画像形成装置本体の画像メモリに転送することができる。
【００２６】
上記構成において、前記データ蓄積部は不揮発性メモリで構成されていることが好ましい（請求項２）。
【００２７】
この構成によれば、データ蓄積部は不揮発性メモリで構成されているため、データ蓄積部から本体部へデータを転送する前に、停電が生じるなどして、ファクシミリ通信部への電力供給が途絶えた場合でも、データ蓄積部に蓄積されているデータが消滅しない。
【００２８】
上記構成において、前記ファクシミリ通信が開始されてから、予め設定された時間の間に、前記データ蓄積部に蓄積されたデータの前記本体部への転送が完了していないことを通知するための通知部をさらに備えており、前記ファクシミリ通信部は、前記本体部に着脱可能に構成されており、前記ファクシミリ通信制御部は、前記ファクシミリ通信が開始されてから、前記予め設定された時間が経過したときに、前記データ蓄積部に蓄積されたデータの前記本体部への転送が完了したか否かを判断し、前記転送が完了していないときには、前記通知部を駆動させることが好ましい（請求項３）。
【００２９】
この構成によれば、ファクシミリ通信が開始されてから予め設定された時間が経過したときに、データ蓄積部に蓄積されたデータの本体部への転送が完了していないと、通知部が駆動される。これにより、画像形成装置の保守担当者やユーザが、ファクシミリ通信部にデータが残存していることが判る。
【００３０】
また、ファクシミリ通信部は本体部に着脱可能に構成されているため、ファクシミリ通信部にデータが残存していることを知った保守担当者やユーザは、ファクシミリ通信部を本体部から取り外して他の画像形成装置に取り付けて、残存しているデータを当該他の画像形成装置に転送させることができる。これにより、ファクシミリ通信部に残存しているデータの逸失を抑制することができる。
【００３１】
上記構成において、前記通知部は固体発光素子で構成されていることが好ましい（請求項４）。
【００３２】
この構成によれば、通知部は固定発光素子で構成されているため、保守担当者やユーザは、ファクシミリ通信部にデータが残存していることを容易に確認することができる。
【００３３】
上記構成において、通電しているときに、前記通信インタフェース及び前記網制御装置に駆動電力を供給する第１電力供給部と、通電しているときに、前記本体部及び前記ロジック回路部に駆動電力を供給する第２電力供給部と、をさらに備えており、前記省電力制御部は、前記省電力モードの実行中には、前記第２電力供給部を通電させずに前記第１電力供給部のみを通電させ、前記通常電力モードの実行中には、前記第１電力供給部及び前記第２電力供給部を通電させることが好ましい（請求項５）。
【００３４】
この構成によれば、省電力モードの実行中には、第１電力供給部を通電させるが、当該第１電力供給部よりも大きな駆動電力を供給する第２電力供給部を通電させない。また、通常電力モードの実行中には、第１電力供給部及び第２電力供給部の双方を通電させる。
【００３５】
これにより、省電力モードの実行中には、通信インタフェース及び網制御装置のみに駆動電力を供給し、通常電力モードの実行中には、通信インタフェース、網制御装置、本体部、及び、ロジック回路部に駆動電力を供給することが実現される。
【発明の効果】
【００３６】
本発明によれば、省電力モード中でも、通信ネットワークを通じた通信機能と、公衆回線網を通じた着呼を検出する機能とを残しながら消費電力の低減を図ることができ、省電力モード中の着呼を受けて開始したファクシミリ通信により取得されたデータを適切に画像形成装置本体に転送することができる。
【図面の簡単な説明】
【００３７】
【図１】本発明の一実施形態に係る画像形成装置の外観を表す斜視図である。
【図２】本発明の一実施形態に係る画像形成装置の概略断面図である。
【図３】ユーザインタフェース部の構成の一例を示した正面図である。
【図４】本発明の一実施形態に係る画像形成装置の概略構成の一例を示した機能ブロック図である。
【図５】省電力制御部の基本動作の一例を示したフローチャートである。
【図６】ＦＡＸ部制御部の基本動作の一例を示したフローチャートである。
【発明を実施するための形態】
【００３８】
以下、本発明に係る画像形成装置の一実施形態を図面に基づいて説明する。なお、各図において同一の符号を付した構成は、同一の構成であることを示し、その説明を省略する。
【００３９】
図１は、本発明の一実施形態に係る画像形成装置の外観を表す斜視図である。
【００４０】
図１に示されるように、画像形成装置１は、画像読取部２００と装置本体３とを備える。装置本体３の上面には、表示部５及び操作部１８を有するユーザインタフェース部Ｉが設けられている。このユーザインタフェース部Ｉには、固体発光素子の１つであるＬＥＤ（Light Emitting Diode）１０（通知部）が、ユーザが視認可能に配置されている。
【００４１】
装置本体３の内部には、オプションボードとして、公衆回線網に対する接続を制御するＮＣＵ（網制御装置）を備え、ＮＣＵにより形成された通信路を通じたファクシミリ通信を行うためのファクシミリ通信部（ＦＡＸ部）９が、着脱可能に構成されている。ファクシミリ通信部９からは、ファクシミリ通信部９から出力される電流が流れるケーブルＣが導出されており、当該ケーブルＣにはＬＥＤ１０が接続されている。
【００４２】
図２は、本発明の一実施形態に係る画像形成装置の概略断面図である。図１に示されるように、画像形成装置１は、画像読取部２００と装置本体３とを備える。画像読取部２００は、原稿給紙部２１０と、スキャナ部２２０と、ＣＩＳ２３１と、ユーザインタフェース部Ｉと、後述する反転機構を備えてなる。
【００４３】
原稿給紙部２１０は、ＡＤＦ（Ａｕｔｏｍａｔｉｃ  Ｄｏｃｕｍｅｎｔ  Ｆｅｅｄｅｒ）を備え、原稿トレイ２１１、ピックアップローラ２１２、プラテン２１３、排紙ローラ２１４及び排紙トレイ２１５を有する。原稿トレイ２１１には、読取対象とされる原稿が載置される。原稿トレイ２１１に載置された原稿は、１枚ずつピックアップローラ２１２によって取り込まれ、間隙を介して順次プラテン２１３へ搬送される。プラテン２１３を経由した原稿は、排紙ローラ２１４によって排紙トレイ２１５へ順次排出される。
【００４４】
前記プラテン２１３の周面に対向する位置のうち、原稿の搬送方向において読取位置Ｐより手前の予め定められた位置には、用紙を検出する図略のタイミングセンサが設置されており、該タイミングセンサの出力要求に基づき、前記読取位置Ｐへの原稿の搬送タイミングが図られる。前記タイミングセンサは、例えばフォトインタラプタにより構成される。
【００４５】
スキャナ部２２０は、原稿の画像を光学的に読み取って画像データを生成するものである。スキャナ部２２０は、ガラス２２１、光源２２２、第１ミラー２２３、第２ミラー２２４、第３ミラー２２５、第１キャリッジ２２６、第２キャリッジ２２７、結像レンズ２２８、ＣＣＤ（Ｃｈａｒｇｅｄ  Ｃｏｕｐｌｅｄ  Ｄｅｖｉｃｅ）２２９を備える。
【００４６】
このスキャナ部２２０は、光源２２２として冷陰極蛍光管等の白色蛍光ランプが用いられ、前記第１ミラー２２３、第２ミラー２２４、第３ミラー２２５、第１キャリッジ２２６、第２キャリッジ２２７及び結像レンズ２２８により、原稿からの光をＣＣＤ２２９に導く。スキャナ部２２０は、光源２２２として冷陰極蛍光管等の白色蛍光ランプを用いて構成されていることから、光源として３色ＬＥＤ等が用いられる後述のＣＩＳ２３１よりも色再現性に優れる。
【００４７】
ガラス２２１には、前記原稿給紙部２１０によらない原稿読取時に、ユーザの手動により原稿が載置される。光源２２２及び第１ミラー２２３は第１キャリッジ２２６によって支持され、第２ミラー２２４及び第３ミラー２２５は第２キャリッジ２２７によって支持されている。
【００４８】
画像読取部２００の原稿読取方式として、ガラス２２１上に載置された原稿をスキャナ部２２０が読み取るフラットベッド読取モードと、原稿を原稿給紙部２１０（ＡＤＦ）によって取り込み、その搬送途中で原稿を読み取るＡＤＦ読取モードがある。
【００４９】
フラットベッド読取モードでは、光源２２２がガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。
【００５０】
ＣＣＤ２２９は一次元のイメージセンサであり、１ライン分の原稿の画像データを重複して処理する。第１キャリッジ２２６及び第２キャリッジ２２７は、主走査方向と直交する方向（副走査方向、矢印Ｙ方向）に移動可能に構成されており、１ライン分の読み取りが終了すると、副走査方向に第１キャリッジ２２６及び第２キャリッジ２２７が移動し、次のラインの読み取りが行われる。
【００５１】
ＡＤＦ読取モードでは、原稿給紙部２１０が原稿トレイ２１１に載置された原稿をピックアップローラ２１２によって１枚ずつ取り込む。このとき、第１キャリッジ２２６及び第２キャリッジ２２７は、読取窓２３０の下方に位置する予め定められた読取位置Ｐに配置される。
【００５２】
原稿給紙部２１０による原稿搬送で、原稿がプラテン２１３から排紙トレイ２１５への搬送経路に設けられた読取窓２３０上を通過するとき、光源２２２が原稿を照射し、主走査１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。続いて原稿は原稿給紙部２１０によって搬送され、次のラインが読み取られる。
【００５３】
更に、原稿給紙部２１０は、切換ガイド２１６、反転ローラ２１７及び反転搬送路２１８を備えた原稿反転機構を有する。この原稿反転機構が、１回目のＡＤＦ読み取りによって表面が読み取られた原稿を表裏反転させて読取窓２３０に再搬送することで、再度ＣＣＤ２２９によって裏面の読み取りが行われる。
【００５４】
この原稿反転機構は、両面読み取り時にのみ動作し、片面読み取り時は動作しない。片面読み取り時及び両面読み取り時において裏面の読み取り後、切換ガイド２１６は上側に切り替えられ、プラテン２１３を経た原稿は、排紙ローラ２１４によって排紙トレイ２１５に排紙される。
【００５５】
両面読み取り時における表面読み取り後、切換ガイド２１６は下側に切り替えられ、プラテン２１３を経た原稿は反転ローラ２１７によって反転搬送路２１８へ搬送される。その後、切換ガイド２１６は上側へ切り替わり、反転ローラ２１７が逆回転して原稿をプラテン２１３へ再給紙する。以下、原稿反転機構を用いて原稿の両面を読み取らせるモードを両面反転読取モードと表記する。
【００５６】
更に、本実施形態の画像読取部２００は、ＡＤＦ読取モード時において、前述したように原稿の搬送途中でＣＣＤ２２９（スキャナ部２２０）によって原稿の表面の読み取りを行わせると略重複して（略並行して）、ＣＩＳ２３１によって原稿の裏面の読み取りを行わせることが可能である。この場合、原稿トレイ２１１から原稿給紙部２１０により搬送された原稿は、読取窓２３０上を通過するときにＣＣＤ２２９によって表面が読み取られ、更にＣＩＳ２３１の配置箇所を通過する際に裏面が読み取られる。なお、ＣＩＳ２３１では、光源としてＲＧＢの３色ＬＥＤ等が用いられる。
【００５７】
このようにＣＣＤ２２９とＣＩＳ２３１を用いることで、原稿給紙部２１０による原稿トレイ２１１から排紙トレイ２１５までの一回の原稿搬送操作（ワンパス）によって原稿の表裏両面の読み取りが可能となる。以下、このようにＣＣＤ２２９とＣＩＳ２３１を用いて原稿の両面を読み取らせるモードを両面同時読取モードと表記する。
【００５８】
この両面反転読取モード及び両面同時読取モードは、ＡＤＦ読取モードを用いて原稿の両面読み取りを行う際の読取モードとして備えられている。両面反転読取モードは、両面の印刷画像の画質を揃えたい場合に利用される一方、両面同時読取モードは、両面の印刷画像の画質に差があっても、読取時間の短縮化を優先させたい場合に利用される。なお、本実施形態における画像形成装置１は、両面同時読取モードに初期設定されており、前記読取モードのモード設定操作が何も行われないまま画像形成指示が入力された場合には、両面同時読取モードで原稿の画像読取動作が行われるようになっている。
【００５９】
画像形成装置１は、装置本体３と、装置本体３の左方に配設されたスタックトレイ６とを有している。装置本体３は、複数の給紙カセット４６１と、給紙カセット４６１から記録紙を１枚ずつ繰り出して画像形成部４０へ搬送する給紙ローラ４６２と、給紙カセット４６１から搬送されてきた記録紙に画像を形成する画像形成部４０とを備える。また、装置本体３は、給紙トレイ４７１と該給紙トレイ４７１に載置された原稿を１枚ずつ画像形成部４０に向けて繰り出す繰り出しローラ４７２とを備える。
【００６０】
画像形成部４０は、感光体ドラム４３の表面から残留電荷を除電する除電装置４２１と、除電後の感光体ドラム４３の表面を帯電させる帯電装置４２２と、スキャナ部２２０で取得された画像データに基づいてレーザ光を出力して感光体ドラム４３の表面を露光し、当該感光体ドラム４３の表面に静電潜像を形成する露光装置４２３と、前記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｋ，４４Ｙ，４４Ｍ，４４Ｃと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。
【００６１】
なお、シアン、マゼンタ、イエロー及びブラックの各色に対するトナーの供給は、図略のトナーカートリッジから行われる。また、画像形成部４０を通過した記録紙をスタックトレイ６又は排出トレイ４８まで搬送する搬送ローラ４６３，４６４等が設けられている。
【００６２】
記録紙の両面に画像を形成する場合は、画像形成部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って画像形成部４０の上流域に再度搬送し、画像形成部４０により他方の面に画像を形成した後、記録紙をスタックトレイ６又は排出トレイ４８に排出する。
【００６３】
また、装置本体３の前方には、ＬＥＤ１０、タッチパネルなどで構成された表示部５、及び、各種の操作ボタンを有する操作部１８が組み込まれたユーザインタフェース部Ｉが、装置本体３の前方に露出するように設けられている。
【００６４】
図３は、ユーザインタフェース部Ｉの構成の一例を示した正面図である。ユーザインタフェース部Ｉは、操作部１８として、操作ボタン１８Ａ〜１８Ｈを備える。操作ボタン１８Ａ〜１８Ｄは、まとまった状態で機能選択ボタン群１８０を構成している。操作ボタン１８Ａから１８Ｄの各々は、コピー、プリンタ、スキャナ、及びＦＡＸのいずれか１つの機能を画像形成装置１に実行させるためにユーザが操作する操作ボタンである。
【００６５】
操作ボタン１８Ｈは、複数まとまった状態で数字キー群を構成している。この数字キー群は、例えば、画像形成装置１にコピー機能を動作させる際はコピー枚数を、ファクシミリ機能を動作させる際は送信先の電話番号等を入力するためのものである。
【００６６】
節電ボタン１８Ｅは、節電ボタンを構成しており、画像形成装置１に省電力モードを実行させるためにユーザにより操作されるボタンである。
【００６７】
操作ボタン１８Ｆは、ストップ／クリアボタンを構成しており、コピー動作やスキャナ動作等の停止、入力操作の取り消しを行うボタンである。操作ボタン１８Ｇは、スタートボタンを構成しており、コピー動作やスキャナ動作等を開始させるボタンである。
【００６８】
図４は、本発明の一実施形態に係る画像形成装置の概略構成の一例を示した機能ブロック図である。画像形成装置１は、本体部３００と、ＮＩＣ（Network Interface Controller）部７と、電源部８とを備える。また、画像形成装置１は、オプションボードからなるファクシミリ通信部９を着脱可能に備える。
【００６９】
本体部３００は、画像処理部３０と、データインタフェース部３１及び３５と、ＲＡＭ（Random Access Memory）３２と、ハードディスクからなる画像メモリ３３と、ＲＯＭ（Read Only Memory）３４と、本体制御部３６とを備える。なお、本体部３００は、画像形成部４０に係る電気回路部分の全部、又は少なくとも一部を含んでいてもよい。
【００７０】
画像処理部３０は、受信した画像データに対して予め定められた画像処理を施す。データインタフェース部３１は、本体部３００がＮＩＣ部７との間で画像データを始めとする各種のデータを通信するための緩衝装置である。ＲＡＭ３２は、データを一時的に保管する機能や作業領域としての機能を有する。画像メモリ３３は、画像データを一時的に蓄積するメモリである。
【００７１】
ＲＯＭ３４は、本体部３００が動作するためのプログラムを格納する。データインタフェース部３５は、本体部３００がファクシミリ通信部９との間で画像データを始めとする各種のデータを通信するための緩衝装置である。
【００７２】
本体制御部３６は、ＣＰＵ（Central Processing Unit）などの構成要素からなり、本体部３００を統括的に制御する。この本体制御部３６は、画像メモリ３３に蓄積された画像データに対して、予め設定された処理を施す。
【００７３】
例えば、本体制御部３６は、画像メモリ３３に蓄積された画像データを記録紙上に形成したり、他のファクシミリ装置にファクシミリ通信により転送したり、他の通信機器に通信ネットワークを通じて転送する。
【００７４】
また、本体制御部３６は、節電ボタン１８Ｅ（図３参照）が操作されるか、又は、画像形成装置１が所定時間使用されなかった場合に、通常電力モードから省電力モードに切り換えるべきタイミングになったと判断し、その旨をＮＩＣ部７に通知する。
【００７５】
電源部８は、商用電力ＡＣを受け付け、当該商用電力ＡＣから画像形成装置１の駆動電力を生成する。電源部８は、商用電力ＡＣの遮断を検知するＡＣ断検知回路８０と、省電力用電力供給部（第１電力供給部）８１と、通常電力用電力供給部（第２電力供給部）８２とを備える。
【００７６】
尚、電源部８は、画像形成装置１の電源起動時には、省電力用電力供給部８１及び通常電力用電力供給部８２を駆動させるよう、省電力用電力供給部８１及び通常電力用電力供給部８２を通電するよう構成されている。
【００７７】
また、電源部８は、停電などにより、商用電力ＡＣの供給が遮断されたときのため、図示しないバックアップ電源を備えている。バックアップ電源は、例えば、商用電力ＡＣの供給を電源部８が受けているときに電荷を蓄積するキャパシタで構成することができ、商用電力ＡＣの供給が遮断されたときには、バックアップ電源により、ＡＣ断検知回路８０、省電力用電力供給部８１、及び、通常電力用電力供給部８２を通電させる。
【００７８】
ＡＣ断検知回路８０は、商用電力ＡＣの供給が遮断されたことを検知して、ＡＣ断検知信号をＮＩＣ部７に出力する。このＡＣ断検知回路８０は、例えば、正と負との間で交互に繰り返される商用電力ＡＣのパルスを予め設定された個数（例えば４個）受け付けないときに、商用電力ＡＣの供給が遮断されたことを検知して、ＡＣ断検知信号を出力する。
【００７９】
省電力用電力供給部８１は、ＮＩＣ部７が駆動するのに必要な電力レベルの駆動電力をＮＩＣ部７に供給する。通常電力用電力供給部８２は、本体部３００、及び、ファクシミリ通信部９のロジック回路部Ｌが駆動するのに必要な電力レベルの駆動電力を、本体部３００とロジック回路部Ｌとに供給する。
【００８０】
ここにおいて、ＮＩＣ部７が駆動するのに必要な電力レベルは、本体部３００とファクシミリ通信部９のロジック回路部Ｌとが駆動するのに必要な電力レベルより小さいため、省電力用電力供給部８１は、通常電力用電力供給部８２よりも電力容量の小さな電源回路を用いて構成することができる。
【００８１】
このような電力容量の少ない電源回路は、スイッチング素子やコイル等に、電力定格の小さな部品を用いることができる。一般に、電力定格の大きな部品は電力損失が大きいので、省電力用電力供給部８１を電力容量の小さな電源回路を用いて構成することで、通常電力用電力供給部８２を省電力モードの電源供給に用いる場合よりも電力損失を低減させることが可能となる。
【００８２】
電源部８において、省電力用電力供給部８１と通常電力用電力供給部８２とは、ＮＩＣ部７の省電力制御部７５により制御される。この制御内容についてはＮＩＣ部７の動作の説明（後述）と併せて説明する。
【００８３】
ファクシミリ通信部９は、公衆回線網Ｎ２に接続され、公衆回線網Ｎ２に対する接続を制御するＮＣＵ９０と、ロジック回路部Ｌとを備える。
【００８４】
ＮＣＵ９０は、公衆回線網Ｎ２を通じて他の通信機器を発呼したり、公衆回線網Ｎ２を通じた他の通信機器からの着呼を検出する。ＮＣＵ９０は、他の通信機器からの着呼を検出したときには、ＮＩＣ部７に着呼検出信号を出力する。
【００８５】
ここにおいて、ＮＣＵ９０が他の通信機器を発呼したときに、当該他の通信機器の応答があれば、当該他の通信機器との間の通信路が形成される。また、ＮＣＵ９０が他の通信機器から着呼を検出して応答したときに、当該他の通信機器との間の通信路が形成される。
【００８６】
ロジック回路部Ｌは、ＣＰＵからなるＦＡＸ部制御部（ファクシミリ通信制御部）９１と、データインタフェース部９２と、画像処理部９３と、モデム９４と、ＲＡＭ及びＲＯＭからなるメモリ９５と、ＥＥＰＲＯＭなどの不揮発性メモリからなる画像メモリ（データ蓄積部）９６と、ＬＥＤ駆動部９７とを備える。
【００８７】
データインタフェース部９２は、ファクシミリ通信部９が本体部３００との間で各種のデータを通信するための緩衝装置である。画像処理部９３は、ファクシミリ通信により取得された画像データに対して予め定められた画像処理を施す。ここにおいて、予め定められた処理には、画像データの符号化や復号が含まれる。
【００８８】
モデム９４は、公衆回線網Ｎ２から音声データの形で送られてきた画像データをデジタルデータの形に復調したり、公衆回線網Ｎ２に送るべき画像データをデジタルデータから音声データの形に変調する。メモリ９５は、ファクシミリ通信部９が駆動するために必要な各種データを格納する。
【００８９】
画像メモリ９６は、ファクシミリ通信により取得された画像データを蓄積する。ＬＥＤ駆動部９７は、ＬＥＤ１０に対してケーブルＣを通じて電流を流してＬＥＤ１０を発光させる。
【００９０】
ＦＡＸ部制御部９１は、ファクシミリ通信部９を統括的に制御する。ＦＡＸ部制御部９１は、ＮＣＵ９０により公衆回線網Ｎ２を通じた他の通信機器との間の通信路が形成されたときに、当該通信路を介したファクシミリ通信を行って、画像データの送信或いは受信を行う。
【００９１】
尚、ＦＡＸ部制御部９１は、画像メモリ９６に蓄積されている全ての画像データが予め設定された時間が経過したときに本体部３００の画像メモリ３３に転送されているか否かを判断するため、図示しないタイマを備えている。
【００９２】
ＮＩＣ部７は、通信ネットワークの１つであるＬＡＮ（Local Area Network）Ｎ１上の他の通信機器との間で、所定のプロトコルに従った通信を行う通信インタフェースとして構成されている。
【００９３】
ＬＡＮ（Ｎ１）上には、パーソナルコンピュータ（以下、ＰＣという）１２、サーバ（図４では「Ｓｅｒｖｅｒ」と表記）１３、及び、ＰＣ１２及びサーバ１３が接続されたハブ（集線装置；図４では「ＨＵＢ」と表記）１１が配置されている。
【００９４】
ＮＩＣ部７は、ＬＡＮ（Ｎ１）上に配置されたＰＣ１２やサーバ１３との間で、通信を行う。そのために、ＮＩＣ部７は、ＭＡＣ（Media Access Control）コントローラ７０と、ＮＩＣ部７が駆動するために必要な各種のデータを格納したメモリ７１とを備えている。
【００９５】
ＭＡＣコントローラ７０は、ＯＳＩ基本参照モデルで表される７階層のうちの第２層（データリンク層）の部分に相当して通信機器同士がフレームを確実に送受信する方法や、フレーム・フォーマットなどを規定したＭＡＣ（媒体アクセス制御）と呼ばれるプロトコルに基づく動作を実行する。
【００９６】
例えば、ＭＡＣコントローラ７０は、通信ネットワーク上において伝送されているデータが自機宛のものであるか否かを、そのデータに含まれているＭＡＣアドレスが自己に割り当てられたＭＡＣアドレスと同値の宛先ＭＡＣアドレスであるか否かに基づいて判断し、そうであるときに該データを取り込む処理や、他の通信機器から送信されるデータと通信上の衝突を起こさないように前記ＭＡＣに従って送信タイミングを制御する処理を行う。
【００９７】
また、ＮＩＣ部７は、ＭＡＣコントローラ７０やメモリ７１の他に、信号インタフェース部７２及び７３、データインタフェース部７４、及び、ＣＰＵからなる省電力制御部７５を備える。
【００９８】
信号インタフェース部７２は、ＮＩＣ部７が電源部８との間で各種の信号を通信するための緩衝装置であり、ＡＣ断検知回路８０が商用電力ＡＣの遮断を検知したことを表すＡＣ断検知信号を受け付け、省電力制御部７５に中継する。
【００９９】
信号インタフェース部７３は、ＮＩＣ部７がファクシミリ通信部９との間で各種の信号を通信するための緩衝装置であり、ＮＣＵ９０が公衆回線網を通じた着呼を検出したことを表す着呼検出信号を受け付け、省電力制御部７５に中継する。
【０１００】
データインタフェース部７４は、ＮＩＣ部７が本体部３００との間で各種のデータを通信するための緩衝装置である。省電力制御部７５は、ＮＩＣ７を統括的に制御するとともに、電源部８を制御する。
【０１０１】
省電力制御部７５は、通常電力モード及び省電力モードのいずれか一方を実行する。省電力制御部７５は、通常電力モードでは、省電力用電力供給部８１及び通常電力用電力供給部８２を通電させて、ＮＩＣ部７、本体部３００、及び、ファクシミリ通信部９へ駆動電力を供給する。図４では、このように、通常電力モードでは、省電力用電力供給部８１、ＮＩＣ部７、及び、ＮＣＵ９０だけではなく、本体部３００及びロジック回路部Ｌも通電していることを、実線で表している。
【０１０２】
一方、省電力モードでは、省電力制御部７５は、通常電力用電力供給部８２を通電させずに、省電力用電力供給部８１のみを通電させて、ＮＣＵ９０及びＮＩＣ部７のみに駆動電源を供給する。図４では、このように、省電力モード中に、通常電力用電力供給部８２、ＮＣＵ９０、及び、ＮＩＣ部７のみが通電されていることを、２点鎖線で表している。
【０１０３】
このような構成の省電力制御部７５は、節電ボタン１８Ｅが操作されるか、又は、画像形成装置１が所定時間使用されなかったことにより通常電力モードから省電力モードに切り替えるべきタイミングになった旨の通知を本体制御部３６から受信すると、通常電力モードの実行を中止して、省電力モードの実行を開始する。
【０１０４】
これにより、ＮＩＣ部７とＮＣＵ９０のみに駆動電力が供給される。このとき、本体部３００及びファクシミリ通信部９のロジック回路部Ｌには駆動電力が供給されないため、ＬＡＮ（Ｎ１）を用いたデータ通信を行う機能と、公衆回線網Ｎ２を通じた他の通信機器からの着呼を検出する機能とを残した状態で、消費電力を低減することができる。
【０１０５】
また、省電力制御部７５は、省電力モード中には、ＬＡＮ（Ｎ１）を通じてデータが到来しているか否かを監視する。すなわち、省電力制御部７５は、省電力モード中において、ＭＡＣコントローラ３１１によりデータが受信されると、そのデータに係るプロトコルを認識する。
【０１０６】
ここにおいて、プロトコルとしては、印刷ジョブに係るプロトコル（印刷ジョブプロトコル）の他、例えばトナー量などの当該画像形成装置１の保守点検を行うためのメンテナンスプロトコルや、ＩＰアドレスからＥｔｈｅｒｎｅｔ（登録商標）のＭＡＣアドレスを求めるのに使われるＡＲＰ（Address Resolution Protocol）と呼ばれるプロトコルが一例としてある。
【０１０７】
省電力制御部７５は、認識したプロトコルに応じて、省電力モードを維持すべきか、省電力モードを中止して通常電力モードを実行すべきかを判断する。
【０１０８】
例えば、省電力制御部７５は、認識したプロトコルが印刷ジョブプロトコルやメンテナンスプロトコルである場合には、省電力モードを中止して通常電力モードを実行する。一方、省電力制御部７５は、認識したプロトコルが、ＡＲＰである場合には、省電力モードを維持する。
【０１０９】
これは、ＡＲＰに係るデータに基づく動作を行う場合に、その動作に本体部３００が関わらないため、本体部３００に電力を供給する必要が無いことに基づく。
【０１１０】
また、省電力制御部７５は、省電力モード中には、ＮＣＵ９０から着呼検出信号が出力されているか否かを監視する。省電力制御部７５は、ＮＣＵ９０から着呼検出信号が出力されているときには、省電力モードを中止して、通常電力モードを実行する。
【０１１１】
これは、ファクシミリ通信により取得された画像データは、本体部３００の画像メモリ３３に蓄積され、本体部３００が、画像メモリ３３に蓄積された画像データに、予め設定された処理を施すことに基づく。
【０１１２】
さらに、省電力制御部７５は、信号インタフェース部７２を通じて、ＡＣ断検知回路８０からのＡＣ断検知信号を受け付けたときには、通常電力用電力供給部８２により、本体部３００に、当該本体部３００が、ファクシミリ通信部９から転送された画像データを画像メモリ３３に送って蓄積させるのに必要な大きさの駆動電力のみを供給させる。
【０１１３】
この処理のためには、通常電力用電力供給部８２が、省電力制御部７５による制御を受け付けて、ロジック回路部Ｌへの通電を停止するとともに、本体部３００に、当該本体部３００が、ファクシミリ通信部９から転送された画像データを画像メモリ３３に送って蓄積させるのに必要な大きさの駆動電力を供給する構成であることを要する。
【０１１４】
図５は、省電力制御部７５の基本動作の一例を示したフローチャートである。尚、以下の処理を行う前提として、通常電力モードが実行されているものとする。このとき、先述したように、省電力用電力供給部８１及び通常電力用電力供給部８２が通電されている。
【０１１５】
省電力制御部７５は、省電力モードに移行すべきとき、つまり、通常電力モードから省電力モードに切り換えるべきタイミングである旨が本体制御部３６から到来したときには（ステップＳ１のＹＥＳ）、通常電力用電力供給部８２の通電を遮断して、通常電力用電力供給部８２による本体部３００及びロジック回路部Ｌへの駆動電力の供給を停止させる（ステップＳ２）。これにより、通常電力モードの実行が中止され、省電力モードの実行が開始される。
【０１１６】
省電力モード中には、省電力制御部７５は、以下のように動作する。つまり、省電力制御部７５は、ＬＡＮ（Ｎ１）を通じて送られてきたデータをＭＡＣコントローラ７０が受け付けたときには（ステップＳ３のＹＥＳ）、受信したデータに係るプロトコルを認識する（ステップＳ４）。
【０１１７】
省電力制御部７５は、認識したプロトコルが、省電力モードを中止して通常電力モードを実行すべきプロトコルであるときには（ステップＳ５のＹＥＳ）、通常電力用電力供給部８２を通電させて、本体部３００及びロジック回路部Ｌへの駆動電力の供給を再開させる（ステップＳ７）。
【０１１８】
一方、省電力制御部７５は、認識したプロトコルが、省電力モードを中止して通常電力モードを実行すべきプロトコルではないときには（ステップＳ５のＮＯ）、ＮＣＵ９０から着呼検出信号が出力されているか否かを判断する（ステップＳ６）。
【０１１９】
ステップＳ６において、ＮＣＵ９０から着呼検出信号が出力されているときには（ステップＳ６のＹＥＳ）、省電力制御部７５は、通常電力用電力供給部８２を通電させて、本体部３００及びロジック回路部Ｌへの駆動電力の供給を再開させる（ステップＳ７）。
【０１２０】
一方、ステップＳ６において、ＮＣＵ９０から着呼検出信号が出力されていないときには（ステップＳ６のＹＥＳ）、ステップＳ３の処理に戻る。
【０１２１】
以上のように、画像形成装置１は、省電力モードでは、本体部３００及びロジック回路部Ｌへの駆動電力の供給を行わず、本体部３００及びロジック回路部Ｌよりも消費電力が小さなＮＩＣ部７及びＮＣＵ９０のみに駆動電力の供給を行う。
【０１２２】
また、画像形成装置１は、省電力モード中に、省電力モードを中止して通常電力モードを実行すべきプロトコルに従ってデータを受信したとき、或いは、ＮＣＵ９０から着呼検出信号が出力されたときには、省電力モードを中止して通常電力モードを実行する。
【０１２３】
これにより、省電力モード中でも、通信ネットワークを通じた通信機能と、公衆回線網を通じた着呼を検出する機能とを残しながら消費電力の低減を図ることができる。
【０１２４】
図６は、ＦＡＸ部制御部９１の基本動作の一例を示したフローチャートである。ＦＡＸ部制御部９１は、ＮＣＵ９０により公衆回線網Ｎ２を通じた他の通信機器との間の通信路が形成されると、他の通信機器との間でファクシミリ通信を開始する（ステップＳ１０）。このとき、ＦＡＸ部制御部９１は、タイマをオンして時間Ｔの計時を開始する（ステップＳ１１）。
【０１２５】
ついで、ＦＡＸ部制御部９１は、ファクシミリ通信により、他の通信機器から画像データをページ単位で順次受け付けて（ステップＳ１２）、受け付けた画像データに画像処理部９３により復号及び画像処理を施し（ステップＳ１３及びＳ１４）、画像メモリ９６に蓄積する（ステップＳ１５）。
【０１２６】
そして、ファクシミリ通信が終了すると（ステップＳ１６のＹＥＳ）、画像メモリ９６に蓄積されている画像データを順次、本体部３００の画像メモリ３３に転送する（ステップＳ１７）。
【０１２７】
その後、タイマによる時間Ｔの計時が終了すると（ステップＳ１８のＹＥＳ）、ＦＡＸ部制御部９１は、画像メモリ９６に蓄積されている全ての画像データが本体部３００の画像メモリ３３に転送されているか否かを判断する（ステップ１９）。
【０１２８】
ここにおいて、ステップＳ１９の処理は、ＦＡＸ部制御部９１は、以下のようにして実現することができる。例えば、ＦＡＸ部制御部９１は、ファクシミリ通信により１ページ単位で取得された画像データについて、各ページの画像データに対して、バンド単位で受信時刻を付加する。このとき、当該受信時刻をメモリ９５に書き込む。
【０１２９】
ここにおいて、バンドとは、１ページ分の画像データを、副走査方向に所定ラインずつ区切ったときに得られる所定ライン分の画像データをいう。
【０１３０】
そして、ＦＡＸ部制御部９１は、画像メモリ９６に蓄積された画像データを本体部３００の画像メモリ３３に転送するときに、画像メモリ９６に蓄積された画像データについて、バンド単位で転送する。このとき、転送したバンドに付加された受信時刻を、メモリ９５から消去する。
【０１３１】
すると、ＦＡＸ部制御部９１は、メモリ９５に書き込まれた受信時刻を参照することで、未だ転送されていないバンドが画像メモリ９６に存在するか否かが判る。
【０１３２】
このように、メモリ９５を画像データの管理メモリとして用いることで、ステップＳ１９の処理を実現することができる。
【０１３３】
ＦＡＸ部制御部９１は、ステップＳ１９において、画像メモリ９６に蓄積されている全ての画像データの転送が完了していれば（ステップＳ１９のＹＥＳ）、次のファクシミリ通信に対して待機する。一方、ＦＡＸ部制御部９１は、画像メモリ９６に蓄積されている全ての画像データの転送が完了していなければ（ステップＳ１９のＮＯ）、ＬＥＤ駆動部９７によりＬＥＤ１０を発光させる（ステップＳ２０）。
【０１３４】
以上のように、画像形成装置１は、ファクシミリ通信により取得された画像データを画像メモリ９６に蓄積してから、本体部３００の画像メモリ３３に転送するため、省電力モードから通常電力モードに切り替わって、ファクシミリ通信部９が本体部３００に先駆けて起動してファクシミリ通信を開始した場合でも、ファクシミリ通信により取得されたデータを適切に本体部３００へ転送することができる。
【０１３５】
また、画像形成装置１は、ファクシミリ通信により取得された画像データを、不揮発性メモリからなる画像メモリ９６に蓄積するため、画像メモリ９６から画像メモリ３３へデータを転送する前に、停電が生じるなどして、ファクシミリ通信部９への電力供給が途絶えた場合でも、画像メモリ９６に蓄積されているデータが消滅しない。
【０１３６】
さらに、画像形成装置１は、ファクシミリ通信が開始されてから予め設定された時間Ｔが経過したときに、画像メモリ９６に蓄積されたデータの画像メモリ３３への転送が完了していないと、ＬＥＤ１０が発光する。これにより、画像形成装置１の保守担当者やユーザは、ファクシミリ通信部９にデータが残存していることを容易に確認することができる。
【０１３７】
尚、本実施形態において、省電力モード中には、省電力用電力供給部８１により、ＮＩＣ部７とＮＣＵ９０の他に操作部１８へ駆動電力を供給し、操作部１８において操作キーの操作があったときに当該操作部１８が操作キーの操作があった旨を省電力制御部７５に通知してもよい。
【０１３８】
こうすれば、省電力制御部７５は、省電力モード中に操作部１８の操作キーの操作があったときにも、省電力モードの実行を中止して、通常電力モードを実行することができる。
【符号の説明】
【０１３９】
１    画像形成装置
３    装置本体
７    ＮＩＣ部
９    ファクシミリ通信部
１０    ＬＥＤ
１２    ＰＣ
１３    サーバ
８１    省電力用電力供給部
８２    通常電力用電力供給部
９０    ＮＣＵ
９１    ＦＡＸ部制御部
９６    画像メモリ
９７    ＬＥＤ駆動部
３００  本体部
Ｎ１    ＬＡＮ
Ｎ２    公衆回線網
【図１】
2014123825.tif 000003
【図２】
2014123825.tif 000004
【図３】
2014123825.tif 000005
【図４】
2014123825.tif 000006
【図５】
2014123825.tif 000007
【図６】
2014123825.tif 000008